(57)【要約】【課題】確実に硬質層を貫通させることができると共に、置換砂下層の軟弱地盤において従来と同様の締め固め砂杭の造成が可能で、かつ、置換砂あるいは在来砂地盤に締め固めによる液状化対策が行える地盤改良用陸上施工機を提供する。【解決手段】施工機本体３に立設したリーダー４に沿ってケーシングパイプ５を昇降動自在に設けると共に、該ケーシングパイプ５の上部に振動機１２を装備してケーシングパイプ５を地中２２に振動させながら貫入、引き抜き自在にして該地中２２に砂杭３０を造成するようにした地盤改良用陸上施工機１Ｃにおいて、リーダー４にケーシングパイプ５と共に昇降動するパイプチャック装置１４を介して該ケーシングパイプ５を回転させる回転駆動装置１５を昇降動自在に設けた。【選択図】図６
2007198047.tif 000002
【特許請求の範囲】
【請求項１】
船体に立設したリーダーマストに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用海上施工機において、
前記リーダーマストに前記ケーシングパイプと共に昇降動するパイプチャック装置を介して該ケーシングパイプを回転させる回転駆動装置を昇降動自在に設けたことを特徴とする地盤改良用海上施工機。
【請求項２】
船体に立設したリーダーマストに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用海上施工機において、
前記船体に前記ケーシングパイプを回転させる回転駆動装置を取り付けたことを特徴とする地盤改良用海上施工機。
【請求項３】
施工機本体に立設したリーダーに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用陸上施工機において、
前記リーダーに前記ケーシングパイプと共に昇降動するパイプチャック装置を介して該ケーシングパイプを回転させる回転駆動装置を昇降動自在に設けたことを特徴とする地盤改良用陸上施工機。
【請求項４】
施工機本体に立設したリーダーに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用陸上施工機において、
前記施工機本体に前記ケーシングパイプを回転させる回転駆動装置を取り付けたことを特徴とする地盤改良用陸上施工機。
【発明の詳細な説明】
【技術分野】
【０００１】
本発明は、大径のよく締め固めた砂杭を地中に造成して地盤を改良するサンドコンパクションパイル（ＳＣＰ）工法に用いて好適な地盤改良用海上施工機及び地盤改良用陸上施工機に関する。
【背景技術】
【０００２】
例えば、ケーシングパイプの上部に振動機を装備し、この振動力を利用してケーシングパイプを地盤中に貫入させ、その後、ケーシングパイプを引き抜き、該ケーシングパイプ内の砂を地盤中に排出させ、再びケーシングパイプを振動させながら貫入することにより地中に砂杭を造成するＳＣＰ工法が知られている（例えば、特許文献１参照。）。
【０００３】
また、リーダーに沿って昇降動するケーシングパイプを回動させて地盤との摩擦を切りながら、ケーシングパイプの貫入時と引き抜き時にリーダーからの反力を得て、安定した砂杭の締め固めを行うＳＣＰ工法が知られている（例えば、特許文献２参照。）。
【０００４】
さらに、従来のＳＣＰ施工では、硬質地盤（岩砕地盤）に対応するものとして、地中貫入補助装置を備えた施工機が知られている（例えば、特許文献３参照。）。
【特許文献１】特開昭４８−３７９０６号公報
【特許文献２】特開平８−２８４１４６号公報
【特許文献３】特開２０００−２９１００４号公報
【発明の開示】
【発明が解決しようとする課題】
【０００５】
しかしながら、前記従来の地中貫入補助装置を備えた施工機では、硬質地盤の下層の軟弱地盤を改良する場合に、硬質層が障害となり、施工不能または施工能率の大幅な低下となっていた。
【０００６】
そこで、本発明は、前記した課題を解決すべくなされたものであり、確実に硬質層を貫通させることができると共に、置換砂下層の軟弱地盤において従来と同様の締め固め砂杭の造成が可能な地盤改良用海上施工機、及び、確実に硬質層を貫通させることができると共に、置換砂下層の軟弱地盤において従来と同様の締め固め砂杭の造成が可能で、かつ、置換砂あるいは在来砂地盤に締め固めによる液状化対策が行える地盤改良用陸上施工機を提供することを目的とする。
【課題を解決するための手段】
【０００７】
請求項１の発明は、船体に立設したリーダーマストに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用海上施工機において、前記リーダーマストに前記ケーシングパイプと共に昇降動するパイプチャック装置を介して該ケーシングパイプを回転させる回転駆動装置を昇降動自在に設けたことを特徴とする。
【０００８】
請求項２の発明は、船体に立設したリーダーマストに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用海上施工機において、前記船体に前記ケーシングパイプを回転させる回転駆動装置を取り付けたことを特徴とする。
【０００９】
請求項３の発明は、施工機本体に立設したリーダーに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用陸上施工機において、前記リーダーに前記ケーシングパイプと共に昇降動するパイプチャック装置を介して該ケーシングパイプを回転させる回転駆動装置を昇降動自在に設けたことを特徴とする。
【００１０】
請求項４の発明は、施工機本体に立設したリーダーに沿ってケーシングパイプを昇降動自在に設けると共に、該ケーシングパイプの上部に振動機を装備して該ケーシングパイプを地中に振動させながら貫入、引き抜き自在にして該地中に砂杭を造成するようにした地盤改良用陸上施工機において、前記施工機本体に前記ケーシングパイプを回転させる回転駆動装置を取り付けたことを特徴とする。
【発明の効果】
【００１１】
以上説明したように、請求項１の発明によれば、リーダーマストにケーシングパイプと共に昇降動するパイプチャック装置を介して該ケーシングパイプを回転させる回転駆動装置を昇降動自在に設けたことにより、海中の硬質地盤の下層の軟弱地盤の地盤改良を効率良く行うことができる。
【００１２】
請求項２の発明によれば、船体にケーシングパイプを回転させる回転駆動装置を取り付けたことにより、海中の硬質地盤の下層の軟弱地盤の地盤改良を効率良く行うことができる。
【００１３】
請求項３の発明によれば、リーダーにケーシングパイプと共に昇降動するパイプチャック装置を介して該ケーシングパイプを回転させる回転駆動装置を昇降動自在に設けたことにより、陸地の硬質地盤下層の軟弱層の地盤改良を効率良く行うことができる。
【００１４】
請求項４の発明によれば、施工機本体にケーシングパイプを回転させる回転駆動装置を取り付けたことにより、陸地の硬質地盤の下層の軟弱地盤の地盤改良を効率良く行うことができる。
【発明を実施するための最良の形態】
【００１５】
以下、本発明の実施形態を図面に基づいて説明する。
【００１６】
図１は本発明の実施形態の回転駆動装置移動可能タイプの地盤改良用海上施工機を示す側面図、図２は同地盤改良用海上施工機の正面図である。
【００１７】
図１及び図２に示すように、回転駆動装置移動可能タイプの地盤改良用海上施工機１Ａは、海上に浮かぶ船体２を有している。この船体２にはシアス７を介して複数本（この実施形態では３本）のリーダーマスト４を立設してある。この各リーダーマスト４に沿って円筒状のケーシングパイプ５を後述するバイブロハンマー等から成る振動機１２に連結されたワイヤ８Ａを介して昇降動自在に設けてある。即ち、ケーシングパイプ５の上部には、スイベル装置１０及び砂供給用のホッパー１１を介して振動機１２を装備してある。この振動機１２の振動力を利用してケーシングパイプ５を海中２０の硬質地盤（岩砕地盤）２１の下層の軟弱地盤（地中）２２に振動させながら貫入、引き抜き自在にして該軟弱地盤２２中に砂杭３０を造成するようになっている。
【００１８】
また、リーダーマスト４には、ケーシングパイプ５と共に昇降動するパイプチャック装置１４を介して該ケーシングパイプ５を回転させる一対のオーガーモーター（回転駆動装置）１５，１５を昇降動自在に設けてある。即ち、パイプチャック装置１４の箱形の装置本体１４ａの中央にはケーシングパイプ５を貫通させる貫通孔を有しており、この貫通孔に対向するように装置本体１４ａ内に設けられた一対のチャック爪を油圧シリンダー（いずれも図示しない）を介して開動作から閉動作させることによりケーシングパイプ５をチャックできるようになっている。また、一対のチャック爪は一対のオーガーモーター１５，１５によりケーシングパイプ５をチャックした状態で回転するようになっている。さらに、パイプチャック装置１４は振動機１２を吊っているワイヤ８Ａとは別のワイヤ８Ｂにより吊られており、これら振動機１２とパイプチャック装置１４との上下の位置関係を可変できるようになっている。尚、各ワイヤ８Ａ，８Ｂは船体２上に設けられたウインチドラム９Ａ，９Ｂに巻き回されている。
【００１９】
以上実施形態の回転駆動装置移動可能タイプの地盤改良用海上施工機１Ａによれば、円筒状のケーシングパイプ５を海中２０の硬質地盤２１に貫入する際に、パイプチャック装置１４によりケーシングパイプ５をチャックさせてケーシングパイプ５とオーガーモーター１５を接続し、該オーガーモーター１５によりケーシングパイプ５を回転させながら行う。
【００２０】
そして、硬質地盤２１の貫通後は、オーガーモーター１５とケーシングパイプ５を切り離し、振動機１２とケーシングパイプ５を接続する。軟弱地盤２２へは、従来どおりの貫入及び引き抜きを繰り返して砂杭３０の造成を行う。また、エアー及び水配管等も併せて切り離し、接続を行う。この切り離し及び接続は、図示しない油圧シリンダー等を使用する。
【００２１】
従来工法は、振動機の起振力と重量によるケーシングパイプの貫入であったが、回転駆動装置移動可能タイプの地盤改良用海上施工機１Ａによる工法では、海中２０の硬質地盤２１に対してはオーガーモーター１５によりケーシングパイプ５を回転させながら硬質地盤２１へ貫入させ、軟弱地盤２２へはオーガーモーター１５によるケーシングパイプ５の回転からバイブロハンマー等の振動機１２による振動へ切り換えてケーシングパイプ５の貫入及び引き抜きを繰り返して砂杭３０の造成を行う。これにより、海中２０の硬質地盤２１の下層の軟弱地盤２２の地盤改良を効率良く行うことができる。
【００２２】
このように、振動機１２とオーガーモーター１５を搭載し、油圧シリンダー等により切り換えて稼動させることにより、ＳＣＰ工法の適用ができなかった硬質地盤２１への対応が可能となり、施工能率の低下を防ぐと共に、確実な施工を可能にした。
【００２３】
図３は本発明の実施形態の回転駆動装置固定タイプの地盤改良用海上施工機を示す側面図、図４は同地盤改良用海上施工機の正面図である。
【００２４】
図３及び図４に示すように、回転駆動装置固定タイプの地盤改良用海上施工機１Ｂは、海上に浮かぶ船体２を有している。この船体２にはシアス７を介して複数本（この実施形態では３本）のリーダーマスト４を立設してある。この各リーダーマスト４に沿って角形（正四角筒状）のケーシングパイプ６を後述するバイブロハンマー等から成る振動機１２に連結されたワイヤ８を介して昇降動自在に設けてある。即ち、角形のケーシングパイプ６の上部には、スイベル装置１０及び砂供給用のホッパー１１を介して振動機１２を装備してある。この振動機１２の振動力を利用して角形のケーシングパイプ６を海中２０の硬質地盤（岩砕地盤）２１の下層の軟弱地盤（地中）２２に振動させながら貫入、引き抜き自在にして該軟弱地盤２２中に砂杭３０を造成するようになっている。尚、ワイヤ８は船体２上に設けられたウインチドラム９に巻き回されている。
【００２５】
また、船体２の前側には、角形のケーシングパイプ６を回転させる回転駆動装置１６を取り付けてある。即ち、この回転駆動装置１６は船体２の前側に固定された箱形の装置本体１６ａを有しており、この装置本体１６ａの中央には角形のケーシングパイプ６を貫通させる貫通孔を形成してある。そして、装置本体１６ａ内には、中央に角形のケーシングパイプ６を貫通させて回転させる正方形の貫通孔を形成した図示しない従動ギヤを配置してある。この従動ギヤは、装置本体１６ａ上に設けられた一対のオーガーモーター１６ｂ，１６ｂの各回転軸に固定された駆動ギヤ（いずれも図示しない）に噛合している。これにより、角形のケーシングパイプ６は振動機１２により振動した状態で回転駆動装置１６により回転されるようになっている。
【００２６】
以上実施形態の回転駆動装置固定タイプの地盤改良用海上施工機１Ｂによれば、角形のケーシングパイプ６を海中２０の硬質地盤２１に貫入する際に、振動機１２により角形のケーシングパイプ６を振動させると共に、回転駆動装置１６により角形のケーシングパイプ６を回転させながら行う。そして、硬質地盤２１の貫通後は、回転駆動装置１６により角形のケーシングパイプ６を回転させると共に振動機１２により角形のケーシングパイプ６を振動させて角形のケーシングパイプ６の貫入及び引き抜きを繰り返して砂杭３０の造成を行う。これにより、海中２０の硬質地盤２１の下層の軟弱地盤２２の地盤改良を効率良く行うことができる。
【００２７】
このように、従来工法は、振動機の起振力と重量によるケーシングパイプの貫入であったが、回転駆動装置固定タイプの地盤改良用海上施工機１Ｂによる工法では、海中２０の硬質地盤２１への角形のケーシングパイプ６の貫入、及び、硬質地盤２１への貫入は、振動機１２による振動と回転駆動装置１６の回転を併用させて行う。これにより、ＳＣＰ工法の適用ができなかった硬質地盤２１への対応が可能となり、施工能率の低下を防ぐと共に、確実な施工を可能にした。
【００２８】
尚、前記回転駆動装置固定タイプの地盤改良用海上施工機１Ｂによる工法では、角形のケーシングパイプ６を用いたが、該角形のケーシングパイプ６の代わりに、図９に示すように、円筒状（丸形）のケーシングパイプ５′に複数の突起物５ａを取り付けると共に角形のケーシングパイプ６′で覆ったものを使用しても良い。
【００２９】
図５は本発明の実施形態の回転駆動装置移動可能タイプの地盤改良用陸上施工機を示す側面図、図６は同地盤改良用陸上施工機の正面図である。
【００３０】
図５及び図６に示すように、回転駆動装置移動可能タイプの地盤改良用陸上施工機１Ｃは、陸上を走行可能な施工機本体３を有している。この施工機本体３の前側にはリーダー４を立設してある。このリーダー４に沿って円筒状のケーシングパイプ５を後述する緩衝器１３に連結されたワイヤ８Ａを介して昇降動自在に設けてある。即ち、ケーシングパイプ５の上部には、スイベル装置１０と砂供給用のホッパー１１及びバイブロハンマー等から成る振動機１２を介して緩衝器１３を装備してある。この緩衝器１３に連結された振動機１２の振動力を利用してケーシングパイプ５を硬質地盤（岩砕地盤）２１の下層の軟弱地盤（地中）２２に振動させながら貫入、引き抜き自在にして該軟弱地盤２２中に砂杭３０を造成するようになっている。
【００３１】
また、リーダー４には、ケーシングパイプ５と共に昇降動するパイプチャック装置１４を介して該ケーシングパイプ５を回転させる一対のオーガーモーター（回転駆動装置）１５，１５を昇降動自在に設けてある。即ち、パイプチャック装置１４の箱形の装置本体１４ａの中央にはケーシングパイプ５を貫通させる貫通孔を有しており、この貫通孔に対向するように装置本体１４ａ内に設けられた一対のチャック爪を油圧シリンダー（いずれも図示しない）を介して開動作から閉動作させることによりケーシングパイプ５をチャックできるようになっている。また、一対のチャック爪は一対のオーガーモーター１５，１５によりケーシングパイプ５をチャックした状態で回転するようになっている。さらに、パイプチャック装置１４は緩衝器１３を吊っているワイヤ８Ａとは別のワイヤ８Ｂにより吊られており、これら緩衝器１３及び振動機１２とパイプチャック装置１４との上下の位置関係を可変できるようになっている。尚、各ワイヤ８Ａ，８Ｂは施工機本体３上に設けられた図示しないウインチドラムに巻き回されている。
【００３２】
以上実施形態の回転駆動装置移動可能タイプの地盤改良用陸上施工機１Ｃによれば、円筒状のケーシングパイプ５を硬質地盤２１に貫入する際に、パイプチャック装置１４によりケーシングパイプ５をチャックさせてケーシングパイプ５とオーガーモーター１５を接続し、該オーガーモーター１５によりケーシングパイプ５を回転させながら行う。
【００３３】
そして、硬質地盤２１の貫通後は、オーガーモーター１５とケーシングパイプ５を切り離し、振動機１２とケーシングパイプ５を接続する。軟弱地盤２２へは、従来どおりの貫入及び引き抜きを繰り返して砂杭３０の造成を行う。また、エアー及び水配管等も併せて切り離し、接続を行う。この切り離し及び接続は、図示しない油圧シリンダー等を使用する。
【００３４】
従来工法は、振動機の起振力と重量によるケーシングパイプの貫入であったが、回転駆動装置移動可能タイプの地盤改良用陸上施工機１Ｃによる工法では、陸地の硬質地盤２１に対してはオーガーモーター１５によりケーシングパイプ５を回転させながら硬質地盤２１へ貫入させ、軟弱地盤２２へはオーガーモーター１５によるケーシングパイプ５の回転からバイブロハンマー等の振動機１２による振動へ切り換えてケーシングパイプ５の貫入及び引き抜きを繰り返して砂杭３０の造成を行う。これにより、陸地の硬質地盤２１の下層の軟弱地盤２２の地盤改良を効率良く行うことができる。
【００３５】
このように、振動機１２とオーガーモーター１５を搭載し、油圧シリンダー等により切り換えて稼動させることにより、ＳＣＰ工法の適用ができなかった硬質地盤２１への対応が可能となり、施工能率の低下を防ぐと共に、確実な施工を可能にした。これにより、確実に硬質地盤２１を貫通させることができると共に、置換砂下層の軟弱地盤２２において従来と同様の締め固め砂杭の造成が可能で、かつ、置換砂あるいは在来砂地盤に締め固めによる液状化対策を簡単に行うことができる。さらに、既設構造物への影響（変位等）が少ない。
【００３６】
図７は本発明の実施形態の回転駆動装置固定タイプの地盤改良用陸上施工機を示す側面図、図８は同地盤改良用陸上施工機の正面図である。
【００３７】
図７及び図８に示すように、回転駆動装置固定タイプの地盤改良用陸上施工機１Ｄは、陸上を走行可能な施工機本体３を有している。この施工機本体３の前側にはリーダー４を立設してある。このリーダー４に沿って角形（正四角筒状）のケーシングパイプ６を後述する緩衝器１３に連結されたワイヤ８を介して昇降動自在に設けてある。即ち、角形のケーシングパイプ６の上部には、スイベル装置１０と砂供給用のホッパー１１及びバイブロハンマー等から成る振動機１２を介して緩衝器１３を装備してある。この緩衝器１３に連結された振動機１２の振動力を利用して角形のケーシングパイプ６を硬質地盤（岩砕地盤）２１の下層の軟弱地盤（地中）２２に振動させながら貫入、引き抜き自在にして該軟弱地盤２２中に砂杭３０を造成するようになっている。尚、ワイヤ８は施工機本体３上に設けられた図示しないウインチドラムに巻き回されている。
【００３８】
また、施工機本体３の前側には、角形のケーシングパイプ６を回転させる回転駆動装置１６を取り付けてある。即ち、この回転駆動装置１６は施工機本体３の前側に固定された箱形の装置本体１６ａを有しており、この装置本体１６ａの中央には角形のケーシングパイプ６を貫通させる貫通孔を形成してある。そして、装置本体１６ａ内には、中央に角形のケーシングパイプ６を貫通させて回転させる正方形の貫通孔を形成した図示しない従動ギヤを配置してある。この従動ギヤは、装置本体１６ａ上に設けられた一対のオーガーモーター１６ｂ，１６ｂの各回転軸に固定された駆動ギヤ（いずれも図示しない）に噛合している。これにより、角形のケーシングパイプ６は振動機１２により振動した状態で回転駆動装置１６により回転されるようになっている。
【００３９】
以上実施形態の回転駆動装置固定タイプの地盤改良用陸上施工機１Ｄによれば、角形のケーシングパイプ６を硬質地盤２１に貫入する際に、振動機１２により角形のケーシングパイプ６を振動させると共に、回転駆動装置１６により角形のケーシングパイプ６を回転させながら行う。そして、硬質地盤２１の貫通後は、回転駆動装置１６により角形のケーシングパイプ６を回転させると共に振動機１２により角形のケーシングパイプ６を振動させて角形のケーシングパイプ６の貫入及び引き抜きを繰り返して砂杭３０の造成を行う。これにより、陸地の硬質地盤２１の下層の軟弱地盤２２の地盤改良を効率良く行うことができる。
【００４０】
このように、従来工法は、振動機の起振力と重量によるケーシングパイプの貫入であったが、回転駆動装置固定タイプの地盤改良用陸上施工機１Ｄによる工法では、陸地の硬質地盤２１への角形のケーシングパイプ６の貫入、及び、硬質地盤２１への貫入は、振動機１２による振動と回転駆動装置１６の回転を併用させて行う。これにより、ＳＣＰ工法の適用ができなかった硬質地盤２１への対応が可能となり、施工能率の低下を防ぐと共に、確実な施工を可能にした。これにより、確実に硬質地盤２１を貫通させることができると共に、置換砂下層の軟弱地盤２２において従来と同様の締め固め砂杭の造成が可能で、かつ、置換砂あるいは在来砂地盤に締め固めによる液状化対策を簡単に行うことができる。さらに、既設構造物への影響（変位等）が少ない。
【００４１】
尚、前記回転駆動装置固定タイプの地盤改良用陸上施工機１Ｄによる工法では、角形のケーシングパイプ６を用いたが、該角形のケーシングパイプ６の代わりに、図９に示すように、円筒状（丸形）のケーシングパイプ５′に複数の突起物５ａを取り付けると共に角形のケーシングパイプ６′で覆ったものを使用しても良い。
【図面の簡単な説明】
【００４２】
【図１】本発明の実施形態の回転駆動装置移動可能タイプの地盤改良用海上施工機を示す側面図である。
【図２】上記回転駆動装置移動可能タイプの地盤改良用海上施工機の正面図である。
【図３】本発明の実施形態の回転駆動装置固定タイプの地盤改良用海上施工機を示す側面図である。
【図４】上記回転駆動装置固定タイプの地盤改良用海上施工機の正面図である。
【図５】本発明の実施形態の回転駆動装置移動可能タイプの地盤改良用陸上施工機を示す側面図である。
【図６】上記回転駆動装置移動可能タイプの地盤改良用陸上施工機の正面図である。
【図７】本発明の実施形態の回転駆動装置固定タイプの地盤改良用陸上施工機を示す側面図である。
【図８】上記回転駆動装置固定タイプの地盤改良用陸上施工機の正面図である。
【図９】上記各回転駆動装置固定タイプの地盤改良用海上施工機及び地盤改良用陸上施工機に用いられる円筒状（丸形）のケーシングパイプの概略断面図である。
【符号の説明】
【００４３】
１Ａ，１Ｂ  地盤改良用海上施工機
１Ｃ，１Ｄ  地盤改良用陸上施工機
２  船体
３  施工機本体
５  円筒状のケーシングパイプ（ケーシングパイプ）
６  角形のケーシングパイプ（ケーシングパイプ）
１２  振動機
１４  パイプチャック装置
１５  オーガーモーター（回転駆動装置）
１６  回転駆動装置
２２  軟弱地盤（地中）
３０  砂杭
【図１】
2007198047.tif 000003
【図２】
2007198047.tif 000004
【図３】
2007198047.tif 000005
【図４】
2007198047.tif 000006
【図５】
2007198047.tif 000007
【図６】
2007198047.tif 000008
【図７】
2007198047.tif 000009
【図８】
2007198047.tif 000010
【図９】
2007198047.tif 000011